(57)【要約】少なくとも１人の携帯端末ユーザ（１４）にサービスを提供する無線ＬＡＮ（１０）との無線電話ネットワーク（１２）のインターワーキングは、無線電話ネットワークの一般パケット無線サービス（ＧＰＲＳ）通信チャネル（２０）を確保することにより達成される。形態端末ユーザからＷＬＡＮ（１０）において受信された制御通信信号は、無線電話ネットワーク（１２）にＧＰＲＳチャネル（２０）を横断的に通信され、同様に、制御通信信号は、そのチャネルに対して無線電話ネットワークからＷＬＡＮに通信される。ＷＬＡＮ（１０）とＷＬＡＮ（１２）との間において制御通信信号を担持するためにＧＰＲＳを使用することにより、非セキュアリンクに対して細心の注意を要する制御情報を送信するリスクを伴うことなく、疎結合の優位性を提供することができる。
2005531986.tif 000002
【特許請求の範囲】
【請求項１】
少なくとも１人の携帯端末ユーザによりアクセスされるＷＬＡＮネットワーク及び無線電話ネットワークをインターワーキングするための方法であって：
前記ＷＬＡＮと前記無線電話ネットワークとの間において無線電話通信リンクを確立する段階；
前記ＷＬＡＮにおいて前記の少なくとも１人の携帯端子ユーザから第１制御通信信号を受信する段階；並びに
前記無線電話通信リンクを横断的に前記ＷＬＡＮネットワークから無線電話ネットワークに前記第１制御通信信号を通信する段階；
を有することを特徴とする方法。
【請求項２】
請求項１に記載の方法であって、前記の前記無線電話通信リンクを確立する段階は、前記ＷＬＡＮと前記無線電話通信ネットワークとの間にＧＰＲＳ無線チャネルを確保する手順を含む、ことを特徴とする方法。
【請求項３】
請求項１に記載の方法であって：
前記無線電話ネットワークと前記ＷＬＡＮとの間において前記無線電話通信リンクを横断的に前記無線電話ネットワークから前記ＷＬＡＮに第２制御通信信号を通信する段階；並びに
前記ＷＬＡＮを用いる通信において少なくとも１人の携帯端末ユーザに前記第２制御通信信号を供給する段階；
を更に含むことを特徴とする方法。
【請求項４】
請求項１に記載の方法であって、前記の前記第１制御通信信号を通信する段階は、認証、承認及びアカウンティング（ＡＡＡ）プロトコルに従って前記の少なくとも１人の携帯端末ユーザから前記ＷＬＡＮにおいて受信された認証情報を通信する手順を含む、ことを特徴とする方法。
【請求項５】
請求項１に記載の方法であって、前記の前記第１制御通信信号を通信する段階は、リモート承認ダイヤルインユーザサービス（ＲＡＤＩＵＳ）プロトコルに従って前記の少なくとも１人の携帯端末ユーザから前記ＷＬＡＮにおいて受信された認証情報を通信する手順を含む、ことを特徴とする方法。
【請求項６】
請求項１に記載の方法であって、前記の前記第１制御通信信号を通信する段階は、一般パケット無線サービス携帯管理（ＧＭＭ）ライクなプロトコルに従って前記の少なくとも１人の携帯端末ユーザから前記ＷＬＡＮにおいて受信された認証情報を通信する手順を含む、ことを特徴とする方法。
【請求項７】
請求項１に記載の方法であって、イーサネットプロトコルを用いて前記の少なくとも１人の携帯端末ユーザから前記ＷＬＡＮにデータパケットを通信する段階を更に含む、ことを特徴とする方法。
【請求項８】
少なくとも１人の携帯端末ユーザによりアクセスされるＷＬＡＮネットワーク及び無線電話ネットワークをインターワーキングするための方法であって：
前記ＷＬＡＮと前記無線電話ネットワークとの間において無線電話通信リンクを確立する段階；
前記無線伝ザ通信リンクを横断的に前記無線電話ネットワークから前記ＷＬＡＮに第１制御通信信号を伝送する段階；並びに
前記ＷＬＡＮを用いる通信において前記少なくとも１人の形態端末ユーザに前記第１通信制御信号を通信する段階；
を有することを特徴とする方法。
【請求項９】
請求項８に記載の方法であって、前記の前記無線電話通信リンクを確立する段階は、前記ＷＬＡＮと前記無線電話通信ネットワークとの間にＧＰＲＳ無線チャネルを確保する手順を含む、ことを特徴とする方法。
【請求項１０】
請求項８に記載の方法であって：
前記の少なくとも１人の携帯端末ユーザから前記ＷＬＡＮも第２制御通信信号を伝達する段階；
前記無線電話通信リンクを横断的に前記ＷＬＡＮから前記無線電話ネットワークに前記第２制御通信信号を通信する段階；
を更に含む、ことを特徴とする方法。
【請求項１１】
請求項９に記載の方法であって、前記の前記第１制御通信信号を通信する段階は、認証アクセス及びアカウンティング（ＡＡＡ）プロトコルに従って前記の少なくとも１人の携帯端末ユーザに認証情報を通信する手順を含む、ことを特徴とする方法。
【請求項１２】
請求項９に記載の方法であって、前記の前記第１制御通信信号を通信する段階は、リモート承認ダイヤルインユーザサービス（ＲＡＤＩＵＳ）プロトコルに従って前記の少なくとも１人の携帯端末ユーザに認証情報を通信する手順を含む、ことを特徴とする方法。
【請求項１３】
請求項９に記載の方法であって、前記の前記第１制御通信信号を通信する段階は、一般パケット無線サービス携帯管理（ＧＭＭ）ライクなプロトコルに従って前記の少なくとも１人の携帯端末ユーザに認証情報を通信する手順を含む、ことを特徴とする方法。
【請求項１４】
請求項９に記載の方法であって、イーサネットプロトコルを用いて前記の少なくとも１人の携帯端末ユーザから前記ＷＬＡＮにデータパケットを通信する段階を更に含む、ことを特徴とする方法。
【請求項１５】
複数の無線端子によりアクセスされるＷＬＡＮネットワーク及び無線電話ネットワークをインターワーキングするための方法であって：
前記ＷＬＡＮと前記無線電話ネットワークとの間において無線電話通信リンクを確立する段階；
複数の携帯端末ユーザから第１結合信号ストリームに受信された第１制御通信信号を多重化する段階；
前記無線電話通信リンクを横断的に前記ＷＬＡＮから前記無線電話ネットワークに前記第１結合信号ストリームを通信する段階；
前記無線電話通信リンクを横断的に前記無線電話ネットワークから前記ＷＬＡＮに多重化制御通信信号の第２結合通信信号ストリームを伝送する段階；
前記第２結合信号ストリームを構成制御信号に多重分離する段階；
前記ＷＬＡＮを用いる通信において対応する携帯端末ユーザに前記構成信号を供給する段階；
を有することを特徴とする方法。
【請求項１６】
通信システムであって：
少なくとも１人の携帯端子ユーザによりアクセス可能な無線ローカルエリアネットワーク（ＷＬＡＮ）；
無線電話せービスを提供するための無線電話ネットワーク；及び
前記ＷＬＡＮと前記無線電話ネットワークとの間で制御通信信号を担持するための一般パケット無線サービス（ＧＰＲＳ）無線通信チャネル；
から構成されることを特徴とする通信システム。
【請求項１７】
請求項１６に記載の通信システムであって、前記一般パケット無線サービス（ＧＰＲＳ）無線通信チャネルにより担持された前記制御通信信号は：
（ａ）認証アクセス及びアカウンティング（ＡＡＡ）プロトコル；
（ｂ）リモート承認ダイヤルインユーザサービス（ＲＡＤＩＵＳ）プロトコル；及び
（ｃ）一般パケット無線サービス携帯管理（ＧＭＭ）ライクなプロトコル；
に従ってフォーマットされた認証情報を含む、ことを特徴とする通信システム
【発明の詳細な説明】
【技術分野】
【０００１】
本発明は、認証、認証及びアカウンティングに関連する制御パラダイムのような制御パラダイムの共有を可能にするために、無線電話ネットワークを用いて無線ＬＡＮ（ＷＬＡＮ：Ｌｏｃａｌ  Ａｒｅａ  Ｎｅｔｗｏｒｋ）をインターワーキングするための技術に関する。
【背景技術】
【０００２】
ＷＬＡＮ技術の分野における進歩は比較的安価なＷＬＡＮ装置を利用できるようにし、又、その進歩は、休憩所、喫茶店、図書館及び類似する公共施設において、公にアクセス可能であるＷＬＡＮを利用できるようにした。現在、ＷＬＡＮは、企業内イントラネットのような専用データネットワーク又はインターネットのような公衆データネットワークにアクセスするための機会をユーザに提供している。たとえあったとしてもごく少ないが、いずれの好適にアクセス可能なＷＬＡＮは、無線電話サービスは勿論のこと、いずれのタイプの電話サービスを提供する。
【０００３】
現在、無線電話サービスを得ることを希望する人は、そのようなサービスの多くのプロバイダの１つに、通常は加入する。今日の無線電話サービスプロバイダは、音声通話能力を提供するばかりでなく、一般パケット無線サービス（ＧＰＲＳ）を提供し、これにより、加入者が携帯端末によりデータパケットを交換することを可能にしている。ＧＰＲＳは数多くの地域にある一方、データ伝送レートは、典型的には、５６ｋｂを上回ることはなく、このようなサービスをサポートする無線ネットワークサービスプロバイダに掛かるコストは大きく、そのことはＧＰＲＳを高価にしている。
【０００４】
ＷＬＡＮを実施する及び運営するための比較的低いコスト及び利用可能な高帯域幅（通常は、１０ＭＢ／ｓｅｃ以上）は、ＷＬＡＮを、携帯無線端末のユーザが無線電話ネットワークを用いてパケットを交換することができる理想的なアクセス機構にする。残念ながら、ＷＬＡＮ及び無線電話ネットワークをインターワーキングするための今日の技術は困難な点を抱えている。例えば、“疎結合”として知られているインターワーキング技術は、ＷＬＡＮと無線電話ネットワークとの間で制御情報を伝えるためにインターネットによりＩＰリンクの使用を提供する。この解決方法は、慎重を期する必要がある検証（認証）情報がインターネットによる伝送の際に潜在的な妨害に対して依然として脆弱のままであるという問題点を有している。
【０００５】
慎重を期する必要があるデータの潜在的妨害のリスクを回避するために、“密結合”として知られている他のインターワーキング解決方法は、ＷＬＡＮ（典型的には、インターワーキングユニット又はＩＷＵ）におけるゲートウェイと無線電話ネットワークとの間のデータ及び制御情報両方を伝えるためにリースの専用通信回線の使用を提供する。専用回線を用いることにより、運用コストを非常に増加させる毎月の回線使用料を払って、妨害の可能性を排除する。
【０００６】
更に、そのような密結合は、ＷＬＡＮにおけるＩＷＵが無線ネットワークプロトコル（例えば、３ＧＰＰ規格に適応した無線電話ネットワークのための３ＧＰＰプロトコル）にそっくりにする必要があるという不利点を有している。そのような状況下にあって、ＩＷＵは、３ＧＰＰ無線電話ネットワークの構成要素のように見えるように３ＧＰＰプロトコルにそっくりにする必要があり、それ故、不所望である非常な複雑さを引き起こすこととなる。そのために、疎結合が望ましい。
【０００７】
従って、上記の不利点を克服するＷＬＡＮ及び無線電話ネットワークをインターワーキングするための技術に対する要請が存在している。
【発明の開示】
【課題を解決するための手段】
【０００８】
簡単にいうと、本発明の原理に従った方法は、認証情報のよりセキュアな交換を提供するが、リースラインの関連コストを伴わない無線電話ネットワーク及びＷＬＡＮをインターワーキングするために提供される。そのようなインターワーキングを提供するために、無線電話チャネルが、無線電話ネットワークとＷＬＡＮとの間で設置される。実際には、携帯端末との通信のために、通常、利用可能である無線チャネルの１つは、情報を通信するために確保され、特に、ＷＬＡＮと無線電話ネットワークとの間の情報を制御する。ＷＬＡＮが複数の携帯端末ユーザに役立つ程度まで、そのような携帯端末ユーザからの信号は、無線電話ネットワークに無線チャネルを超えて伝送される通信ストリームをもたらすために多重化される。
【０００９】
ＷＬＡＮと無線電話ネットワークとの間で、制御情報であって、特に認証情報を担持するために無線電話ネットワーク通信チャネルの一を使用することは、リースラインの費用を回避しつつインターネットに対してそのような情報を送信することに比べて、より一層のセキュリティを提供する。典型的には、無線電話ネットワークは、携帯端末ユーザと無線電話ネットワークとの間において直接的に無線チャネルを横断して認証情報の通信に関連するセキュリティプロトコルを取り入れる。無線電話ネットワークへの直接アクセスを得る過程で、携帯端末ユーザは、細心の注意を要する認証データを無線電話ネットワークと交換する必要がある。それ故、ＷＬＡＮと無線電話ネットワークとの間で制御情報を担持するために既存のＧＰＲＳ無線チャネルを用いることは、無線電話ネットワークにおいて既に存在している認証プロトコル及びインタフェースを使用することを可能にする。
【発明を実施するための最良の形態】
【００１０】
図１は、本発明の原理に従った無線電話ネットワーク１２とインターワーキングされる無線ローカルエリアネットワーク（ＷＬＡＮ）１０との組み合わせを示している。下でより詳細に説明するように、ＷＬＡＮ１０の無線電話ネットワーク１２とのインターワーキングは、形態端末（ＭＴ）１４で表されているユーザがＷＬＡＮ１０により一般パケット無線サービス（ＧＰＲＳ）を受信するために形態電話ネットワークにアクセスすることを可能にする。その最も簡単な方式において、ＷＬＡＮ１０は、ＭＴ１４における高周波（ＲＦ）トランシーバ（図示せず）を用いて情報を交換するためのＲＦトランシーバ（図示せず）である、組み入れられた少なくとも１つのアクセスポイント（ＡＰ）１６を含む。実際には、ＭＴ１４及びＡＰ１６におけるＲＦトランシーバは、“Ｂｌｕｅｔｏｏｔｈ”又はＩＥＥＥ８０２．１１プロトコルのような周知の無線通信プロトコルを利用する。このように、ＷＬＡＮ１０においてＡＰ１６を有する無線通信領域においてはごく稀に、ＭＴ１４は、プロトコル無線通信プロトコルについての懸念を伴わずにＡＰ１６との通信セッションを容易に開始することができる。実際には、ＡＰは、ＭＴ１４と無線電話ネットワーク１０との間でデータを通信するために、インターネットとして示しているデータネットワーク１７へのデータ接続を有する。
【００１１】
ＷＬＡＮ１０において、インターワーキング装置（ＩＷＵ）１８は、ＭＴ１４がアクセスすることを可能にするために電話ネットワークから制御情報を受信するため及びＭＴ１４が制御情報を送信することを可能にするために、携帯電話ネットワーク１２とのリンクを確立する。そのような制御情報は認証情報を含む。本発明の原理に従って、無線ネットワーク制御器（ＲＮＣ）２２が設置されたノード２１を通って無線電話ネットワークと直接、通信する携帯端末ユーザ（図示せず）によりその他の点で用いられる種類のＲＰＲＳ無線チャネル２０を確保しておくことにより、ＩＷＵ１８は、無線電話ネットワーク１２とリンクすることが可能である。
【００１２】
スタンドアロン装置として図１に示しているが、ＩＷＵ１８はＡＰ１６の一部として存在することができる。ＷＬＡＮ１０が、同時に、通信における複数の携帯端末を有することが可能である可能性に適応するために、ＩＷＵ１８は、無線電話ネットワーク１２への伝送のために結合された通信ストリームにＭＴ１４のようなＭＴの各々からの通信信号を多重化するためのマルチプレクサ（図示せず）を含む。同じトークンにより、ＩＷＵ１８は又、ＷＬＡＮ１０との通信において対応するＭＴへの分配のために、無線電話ネットワーク１２から受信された結合信号ストリームを構成信号に多重分離するための多重分離器（図示せず）を含む。幾つかのＭＴからの信号の多重化は、例えば、無線電話ネットワーク１２におけるユーザデータグラムプロトコル（ＵＤＰ）（図示せず）を割り当てることにより、トランスポートプロトコルの使用法により実現されることが可能であり、又は、下で説明する、例えば、周知の認証、承認及びアカウンティング（ＡＡＡ）プロトコル等の認証プロトコルを用いることにより、簡単に達成されることが可能である。
【００１３】
実際には、無線電話ネットワーク１２は、当業者に周知の形態無線電話ネットワークのための２．５Ｇ規格又は３Ｇ規格の一に準拠している。そのような規格に従って、無線電話ネットワーク１２は、ポート２１によりＷＬＡＮ１０のＩＷＵ１８との通信においてＲＣＮ２３と情報を交換するサービス（Ｓｅｒｖｉｎｇ）ＧＰＲＳサービスノード（ＳＧＳＮ）２３を含む。典型的には、無線電話ネットワーク１２は複数のＳＧＳＮを含むことができ、簡単のために、図１においては、１つのＳＧＳＮ２３のみを示している。
【００１４】
実際には、ＳＧＳＮ２３のような各々のＳＧＳＮは、無線電話ネットワーク１２に対する制御ハブとして機能する。そのために、各々のＳＧＳＮは、ＷＬＡＮ１０による無線電話ネットワーク１２との通信において、無線電話ネットワーク１２との直接接続における複数の携帯端末（図示せず）を管理するためばかりでなく、ＭＴ１４のような各々のＭＴを管理するために必要なインフラストラクチャ（インタフェース）及びロジック（通信プロトコル）を有する。無線電話ネットワーク１２におけるＳＧＳＮに関連して、そのようなＳＧＳＮは、ＷＬＡＮ１０により無線電話ネットワーク１２にアクセスする各々のＭＴ（例えば、ＭＴ１４）を含む各々のＭＴに関する情報を記憶するためのデータベース（図示せず）を有するホームロケーションレジスタ（ＨＬＲ）２４である。
【００１５】
図示しているように、ＳＧＳＮ２３のような各々のＳＧＳＮは、無線電話ネットワーク１２との直接通信において１人又はそれ以上の携帯端末ユーザ（図示せず）との制御情報の交換を支援するために必要なインタフェース及びプロトコルを含む。それ故、ＳＧＳＮ２３のような各々のＳＧＳＮは、チャネル２０のようなＧＰＲＳチャネルに伝送される制御情報を処理する能力を有している。従って、ＷＬＡＮ１０と無線電話ネットワーク１２との間で制御情報を担持するためにＧＰＲＳチャネル２０を利用することは、新しいインタフェース又は新しいプロトコルの追加を必要としない。
【００１６】
実際には、ＷＬＡＮ１０及び無線ネットワーク１２のインターワーキングは、異なるタイプの制御情報の通信のための異なるプロトコルに依存する。図２は、認証、承認及びアカウンティング情報のためのトップレベルのプロトコルとしてのＡＡＡプロトコルの使用に関連する、ＭＴ１４、ＡＰ１６、ＩＷＵ１８及びＳＧＳＮ２３のためのプロトコルスタックを示している。図２に示すように、ＭＴ１４は、ＡＡＡプロトコルがその最上位にあるプロトコルスタックを有する。ＡＡＡプロトコルの下にはシグナリングプロトコルがあり、そのシグナリングプロトコルにより、ＭＴ１４はＡＰ１６及び／又はＩＷＵ１８とシグナリング情報を交換する。ＭＴ１４のスタック２６におけるシグナリングプロトコルの下には、ＭＴ１４がＷＬＡＮ１０とのＲＦ通信を行うために利用されるＷＬＡＮ無線プロトコルがある。
【００１７】
ＡＰ１６はプロトコルスタック２８を有し、そのプロトコルスタック２８の最上位において、典型的には、ＭＴ１４とのシグナリング情報の交換を可能にするためのシグナリングプロトコルがある。スタック２８におけるシグナリングプロトコルの下には、ｚｍｔ１４とのＲＦ通信を容易にするためのＷＬＡＮ無線プロトコルがある。ＡＰ１６のプロトコルスタック２８は又、ＡＰ１６がＩＷＵ１８とイーサネット（登録商標）通信を交換することを可能にするＷＬＡＮ無線プロトコルと同じレベルのイーサネット（登録商標）通信プロトコルを担持する。ＡＰ１６及びＩＷＵ１８が個別のエンティティとして存在する、図１に示す実施形態において、ＡＰ１６におけるプロトコルスタック２８は、ＡＰ１６自体がＩＷＵ１８にそのような情報を渡すこと以外に、ＭＴ１４からＡＡＡ情報にいずれの操作を実行することを必要としないために、ＡＡＡプロトコルを含まない。
【００１８】
ＩＷＵ１８はプロトコルスタック３０を有し、そのプロトコルスタック３０の最上位には、ＩＷＵ１８が無線電話ネットワーク１２においてＳＧＳＮ２３とＭＴ１４の認証及び承認をネゴシエートすることを可能にするためにＡＡＡプロトコルがある。そのスタック３０におけるＡＡＡプロトコルのすぐ下には、シグナリングプロトコルとＵＤＰ／ＩＰ（ユーザデータグラムプロトコル／インターネットプロトコル）を含むユーザプロトコルがあり、後者は、無線電話ネットワーク１２との交換のためにメッセージをフォーマットするために用いられる。その次に下のレイヤ（制御プレーン）において、プロトコルスタック３０はイーサネットプロトコル及びＧＰＲＳプロトコルを担持する。ＧＰＲＳプロトコルは、ＩＷＵ１８が無線電話ネットワーク１２と接続されることを可能にする。
【００１９】
ＳＧＳＮ２３はプロトコルスタック３２を有し、そのプロトコルスタック３２の最上レイヤはＡＡＡプロトコルを担持する。プロトコルスタック３２はＡＡＡプロトコルの下においてＵＤＰ／ＩＰを担持する。プロトコルスタック３２は、ＵＤＰ／ＩＰの下にあって、無線電話ネットワークにおける幾つかの要素間に分配されるＧＰＲＳプロトコルを担持する。ＡＡＡプロトコルと同じレイヤにおいて、ＳＧＳＮプロトコルスタック３２は、典型的には、承認、認証及びアカウンティングを達成するために無線電話ネットワークとＳＧＳＮ２３が相互作用することを可能にするスタックにおける他のプロトコルから集められた、コアネットワークＡＡＡプロトコルを含む。
【００２０】
認証のための最上位プロトコルとして、図２に示したＡＡＡプロトコルを利用するのではなく、他のプロトコルを用いることができる。図３に代替として示している好適な実施形態において、ＭＴ１４のプロトコルスタック２６は、認証及びシグナリング通信の両方を処理するために、最上位に相当アクセス（ＥＡ：Ｅｑｕｉｖａｌｅｎｔ  Ａｃｃｅｓｓ）プロトコルを担持する。ＥＡプロトコルの下には、上で説明したＷＬＡＮ無線プロトコルがある。図３のＡＰ１６のプロトコルスタック２８は、ＭＴ１４との接続を可能にする最上位にＥＡプロトコルを担持する。更に、ＡＰ１６のプロトコルスタック２８の最上位は、ＡＰ１６がＳＧＳＮ２３と相互作用するために用いる、周知のリモート承認ダイヤルインユーザサービス（ＲＡＤＩＵＳ：Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ）プロトコルを含む。ＡＰのプロトコルスタック２８におけるＲＡＤＩＵＳプロトコルのすぐ下にはＵＤＰ／ＩＰがある。ＡＰ１６がＷＬＡＮ無線通信を管理することを可能にするためのＡＰ１６のプロトコルスタック２８におけるＥＡＰの下にはＷＬＡＮプロトコルがある。イーサネット（登録商標）プロトコルは、ＡＰ１６がＩＷＵ１８とのイーサネット（登録商標）通信を管理することを可能にするためのＷＬＡＮプロトコルと同じ、プロトコルスタック２８におけるレベルには、イーサネット（登録商標）プロトコルがある。
【００２１】
図３のＩＷＵ１８は、ＡＰ１６とＳＧＳＮ２３との間のシグナリングタイプ通信を操作するために、最上位にＵＤＰ／ＩＰを担持するプロトコルスタック３０を有する。ＩＷＰ１８ｍｐプロトコルスタック３０のＵＤＰ／ＩＰの下には、ＩＷＵがＡＰ１６とのパケットのイーサネット（登録商標）通信を管理することを可能にするためのイーサネット（登録商標）プロトコルがある。
【００２２】
図３のＳＧＳＮ２３はプロトコルスタック３２を有し、そのプロトコルスタック３２の最上位には、ＡＰ１６と共にアクセス認証を処理するためのＲＡＤＩＵＳプロトコルがある。プロトコルスタック３２におけるＲＡＤＩＵＳプロトコルの下にはＵＤＰ／ＩＰプロトコルがある。又、ＲＡＤＩＵＳプロトコルの下にはＧＰＲＳインタフェースプロトコルがあり、そのＧＰＲＳインタフェースプロトコルにより、ＳＧＳＮ２３は、図１の無線ネットワーク１２にのけるＧＰＲＳ機能を管理する。
【００２３】
図４は、認証のための最上位プロトコルとしてＧＭＭライクなプロトコルを使用することを示している。図４に示すように、ＭＴ１４のプロトコルスタック２６は、ＡＰ１６又はＩＷＵ１８による介入を伴わずに、ＭＴ１４がＳＧＳＮ２３に認証情報を渡すことを可能にするために最上位にＧＭＭライクなプロトコルを担持する。ＭＴ１４のプロトコルスタック２６におけるＧＭＭライクなプロトコルの下には、ＭＴがＩＷＵ１８とシグナリング情報を交換することを可能にするためにシグナリングプロトコルがある。プロトコルスタック２６におけるシグナリングスタックの下には、上で説明したように、ＷＬＡＮ無線プロトコルがある。
【００２４】
ＡＰ１６は、ＷＬＡＮ１０とＭＴ１４との間の無線通信を管理するために、最上位にＷＬＡＮ無線プロトコルを含むプロトコルスタックを有する。ＡＰ１６のプロトコルスタック２８は又、ＡＰがイーサネット（登録商標）フォーマット信号によりＩＷＵと通信することを可能にするためのイーサネット（登録商標）プロトコルを含む。図４のＡＰ１６のプロトコルスタック２８は、このように図に示す実施形態において、ＭＴ１４からの認証情報がＡＰ１６か又はＩＷＵ１８のどちらかにより処理されることなくＳＧＳＮ２３に渡されるために、ＧＭＭライクなプロトコル及びシグナリングプロトコルの両方が足りない、ことに留意されたい。
【００２５】
ＩＷＵプロトコルスタック３０は、ＭＴ１４とＳＧＳＮ２３との間のシグナリング情報の通信を容易にするために、最上位にＵＤＰ／ＩＰ及びシグナリングプロトコルを有する。シグナリングプロトコル及びＵＤＰ／ＩＰの下において、ＩＷＵプロトコル３０は、上で説明したように、イーサネットプロトコル及びＧＰＲＳプロトコルを担持する。
【００２６】
ＳＧＳＮプロトコルスタック３２は、ＭＴ１４との認証情報の交換を容易にするために、最上位にＧＭＭライクなプロトコルを担持する。ＧＭＭライクなプロトコルの下に、ＳＧＳＮプロトコルスタック３２は、ＧＰＲＳインタフェースプロトコルスタックと同様に、ＵＤＰ／ＩＰ及びＧＰＲＳプロトコルを含む。
【００２７】
上記において、関連コストを伴うことなく、リースライン接続に匹敵するセキュリティを得るために、ＧＰＲＳチャネルにより堅固な結合を備えた無線電話ネットワークを有するＷＬＡＮをインターワーキングするための技術について説明した。  
【図面の簡単な説明】
【００２８】
【図１】本発明の原理に従った無線電話ネットワークとインターワーキングするＷＬＡＮの模式的なブロック図である。
【図２】認証、承認及びアカウンティング（ＡＡＡ）プロトコルの使用に関連する、図１の無線電話ネットワーク及びＷＬＡＮにおけるネットワーク要素のプロトコルスタックを示す図である。
【図３】ＲＡＤＩＵＳプロトコルの使用に関連する、図１の無線電話ネットワーク及びＷＬＡＮにおけるネットワーク要素のプロトコルスタックを示す図である。
【図４】ＧＭＭライクなプロトコルの使用に関連する、図１の無線電話ネットワーク及びＷＬＡＮにおけるネットワーク要素のプロトコルスタックを示す図である。
【図１】
2005531986.tif 000003
【図２】
2005531986.tif 000004
【図３】
2005531986.tif 000005
【図４】
2005531986.tif 000006
【国際調査報告】
2005531986.tif 000007
2005531986.tif 000008